(57)【要約】【課題】表示画面を回転させた時でも同等イメージのＯＳＤ表示ができる画像表示装置を提供。【解決手段】入力手段１０１からＯＳＤ表示要求情報が情報処理手段１０２に入力されると、情報処理手段１０２からの命令により角度検出手段１０３にて現在の表示画面の回転角度情報を取得し、取得された回転角度情報に応じてＯＳＤキャラクタ選択手段１０４により、ＯＳＤキャラクタ格納手段１０５に予め格納された回転したＯＳＤキャラクタ群が選択される。このＯＳＤキャラクタ群が選択されて情報処理手段１０２からの命令により、ＯＳＤキャラクタ抽出手段１０６がＯＳＤキャラクタを抽出し、回転角度に対応したＯＳＤキャラクタか表示手段１０７へ表示される。【選択図】図１
2007148423.tif 000002
【特許請求の範囲】
【請求項１】
ＯＳＤ表示要求情報を入力する入力手段と、この入力手段からのＯＳＤ表示要求情報を処理する情報処理手段と、この情報処理手段からの命令によって表示画面の回転角度を検出する角度検出手段と、０°，９０°，１８０°，２７０°に回転させたＯＳＤキャラクタを予め格納するＯＳＤキャラクタ格納手段と、上記情報処理手段からの命令により、上記ＯＳＤキャラクタ格納手段から所望のＯＳＤキャラクタを抽出するＯＳＤキャラクタ抽出手段と、このＯＳＤキャラクタ抽出手段で抽出された所望のＯＳＤキャラクタを処理して表示する表示手段とで構成されたことを特徴とする画像表示装置。
【請求項２】
ＯＳＤ表示要求情報及び表示回転情報を入力する入力手段と、この入力手段からの情報を処理する情報処理手段と、０°，９０°，１８０°，２７０°に回転させたＯＳＤキャラクタを予め格納するＯＳＤキャラクタ格納手段と、上記情報処理手段からの命令により、上記ＯＳＤキャラクタ格納手段から所望のＯＳＤキャラクタを抽出するＯＳＤキャラクタ抽出手段と、このＯＳＤキャラクタ抽出手段で抽出された所望のＯＳＤキャラクタを処理して表示する表示手段とで構成されたことを特徴とする画像表示装置。
【発明の詳細な説明】
【技術分野】
【０００１】
本発明は、ブラウン管（以下ＣＲＴと称す），液晶パネル（以下ＬＣＤと称す），プラズマディスプレイ（以下ＰＤＰと称す）を利用した画像表示装置に係り、特に、ＯＳＤ手段を搭載した画像表示装置に関する。
【背景技術】
【０００２】
従来の画像表示装置は、図５に示すように、入力手段５０１からＯＳＤ表示要求情報が情報処理手段５０２に入力されると、情報処理手段５０２は入力されたＯＳＤ表示要求情報に従いＯＳＤキャラクタ抽出手段５０６よりＯＳＤキャラクタ格納手段５０５に格納されたＯＳＤキャラクタを抽出し、このＯＳＤキャラクタ抽出手段５０６により抽出されたＯＳＤキャラクタ情報が表示手段５０７に送出されることによりＯＳＤ表示を行う。 
【０００３】
この情報処理手段５０２は、表示画面の回転角度とは無関係にＯＳＤキャラクタ抽出手段５０６よりＯＳＤキャラクタ格納手段５０５に格納されたＯＳＤキャラクタを抽出してＯＳＤ画面を構成し、表示手段５０７にＯＳＤ画面情報が送出されることによりＯＳＤ画面が表示される。
特許文献１には、キャラクタジェネレータにてキャラクタを生成して、オンスクリーンディスプレイにてＯＳＤ画面を構成し、ＯＳＤ画面を表示させる技術が記載されている。
【特許文献１】特開平６−１４１２５２号公報
【発明の開示】
【発明が解決しようとする課題】
【０００４】
上述のように、従来の画像表示装置は、ＯＳＤキャラクタ情報を表示画面の回転角度とは関係なくＯＳＤキャラクタ格納手段内に登録されている情報どおりにしか出力しないため、表示画面を回転させた前後においては異なる表示イメージでＯＳＤの表示をすることしかできなかった。 
【０００５】
また、ＯＳＤキャラクタ格納手段からＯＳＤキャラクタのドット情報を読み出す際に、回転させたイメージになるようにドットデータの読み出しアドレスを変更して読み出す方法も考えられるが、ドットデータの読み出しには高速動作を要求されることから、ハードウェアによりドットデータ読み出しアドレスをランダムに変更することは困難であった。
【０００６】
従って、本発明の目的は、表示画面を回転させた前後でも、同等イメージのＯＳＤ表示を得ることができる画像表示装置を提供することにある。
【課題を解決するための手段】
【０００７】
上述の課題を解決するために、本発明の画像表示装置は、ＯＳＤ表示要求情報を入力する入力手段と、この入力手段からのＯＳＤ表示要求情報を処理する情報処理手段と、この情報処理手段からの命令によって表示画面の回転角度を検出する角度検出手段と、０°，９０°，１８０°，２７０°に回転させたＯＳＤキャラクタを予め格納するＯＳＤキャラクタ格納手段と、上記情報処理手段からの命令により、上記ＯＳＤキャラクタ格納手段から所望のＯＳＤキャラクタを抽出するＯＳＤキャラクタ抽出手段と、このＯＳＤキャラクタ抽出手段で抽出された所望のＯＳＤキャラクタを処理して表示する表示手段とで構成されたことを特徴とする。
【０００８】
また、上述の課題を解決するために、本発明の画像表示装置は、ＯＳＤ表示要求情報及び表示回転情報を入力する入力手段と、この入力手段からの情報を処理する情報処理手段と、０°，９０°，１８０°，２７０°に回転させたＯＳＤキャラクタを予め格納するＯＳＤキャラクタ格納手段と、上記情報処理手段からの命令により、上記ＯＳＤキャラクタ格納手段から所望のＯＳＤキャラクタを抽出するＯＳＤキャラクタ抽出手段と、このＯＳＤキャラクタ抽出手段で抽出された所望のＯＳＤキャラクタを処理して表示する表示手段とで構成されたことを特徴とする。 
【発明の効果】
【０００９】
本発明による画像表示装置によれば、表示画面を回転させた場合でも同様なイメージのＯＳＤ表示を得ることができるため、表示画面を回転させた前後のイメージが異なる違和感をなくしてＯＳＤを認識させることができ、操作感覚を損なうことなく最適なＯＳＤ表示ができる効果がある。 
【００１０】
また、本発明による画像表示装置によれば、回転角度に応じたＯＳＤキャラクタを予め格納しておくため、ハードウェアによるＯＳＤキャラクタのドット単位の読み出し手段の負荷を増大させずに、読み出し手段の高速動作化及びランダムアクセス化によるハードウェア変更のコストアップを抑える効果がある。 
【発明を実施するための最良の形態】
【００１１】
次に、本発明の第１実施の形態による画像表示装置を図面を参照して説明する。 
【００１２】
図１は、本発明の第１実施の形態による画像表示装置のブロック構成図である。 
【００１３】
図２は、本発明の第１実施の形態による画像表示装置の格納されたＯＳＤキャラクタ群である。 
【００１４】
本発明の第１実施の形態による画像表示装置は、図１に示すように、ＯＳＤ表示要求情報を入力する入力手段１０１と、この入力手段１０１からのＯＳＤ表示要求情報を処理する情報処理手段１０２と、この情報処理手段１０２からの命令によって表示画面の回転角度を検出する角度検出手段１０３と、この角度検出手段１０３で検出された回転角度によってＯＳＤキャラクタを選択するＯＳＤキャラクタ選択手段１０４と、このＯＳＤキャラクタ選択手段１０４で選択されたＯＳＤキャラクタに基づき、０°，９０°，１８０°，２７０°に回転させたＯＳＤキャラクタを予め格納し、かつ各回転角度に応じてＯＳＤキャラクタ群を切り替えるＯＳＤキャラクタ格納手段１０５と、情報処理手段１０２からの命令により、ＯＳＤキャラクタ格納手段１０５から所望のＯＳＤキャラクタを抽出するＯＳＤキャラクタ抽出手段１０６と、このＯＳＤキャラクタ抽出手段１０６で抽出された所望のＯＳＤキャラクタを処理して表示する表示手段１０７とで構成される。 
【００１５】
次に、本発明の第１実施の形態による画像表示装置の動作を、図面を参照して説明する。 
【００１６】
本発明の第１実施の形態による画像表示装置の動作は、図１に示すように、入力手段１０１によりＯＳＤ表示要求情報が情報処理手段１０２に対して入力されると、情報処理手段１０２からの命令により角度検出手段１０３にて現在の表示画面の回転角度情報を取得し、取得された回転角度情報に応じてＯＳＤキャラクタ選択手段１０４によりＯＳＤキャラクタ格納手段１０５に格納されているＯＳＤキャラクタ群が選択され、ＯＳＤキャラクタ群が選択されたところで情報処理手段１０２からの命令によりＯＳＤキャラクタ抽出手段１０６がＯＳＤキャラクタを抽出し、回転角度に対応したＯＳＤキャラクタにてＯＳＤ画面を形成することができ、表示手段１０７にＯＳＤ画面情報が送出されることによりＯＳＤ画面が表示される。 
【００１７】
また、ＯＳＤキャラクタ格納手段１０５は、ＲＯＭやＲＡＭで構成され、図２に示すように、０°，９０°，１８０°，２７０°に回転させたＯＳＤキャラクタを予め格納し、かつＯＳＤキャラクタ群を各回転角度毎にアドレスブロック単位で区分して格納されているため、ＯＳＤキャラクタ選択手段１０４にて容易に格納ブロックを切り替えることができる。 
【００１８】
次に、本発明の第２実施の形態による画像表示装置を、図面を参照して説明する。 
【００１９】
本発明の第２実施の形態による画像表示装置は、図３に示すように、情報処理手段３０２が角度検出手段３０３からの回転角度情報に応じ、ＯＳＤキャラクタ抽出手段３０６に対するＯＳＤキャラクタアドレスをキャラクタ単位で変更することにより、第１実施の形態のＯＳＤキャラクタ選択手段１０４を削除しても同様の動作が行なえる。 
【００２０】
次に、本発明の第３実施の形態による画像表示装置を、図面を参照して説明する。 
【００２１】
本発明の第３実施の形態による画像表示装置は、図４に示すように、入力手段４０１から回転角度情報を情報処理手段４０２に対して提供することにより、第２実施の形態の角度検出手段３０３を削除しても第１実施の形態と同様の動作が行なえる。
【図面の簡単な説明】
【００２２】
【図１】本発明の第１実施の形態による画像表示装置のブロック構成図である。
【図２】本発明の第１実施の形態による画像表示装置のキャラクタ（Ａ），９０°に回転したＯＳＤキャラクタ群（Ｂ），１８０°に回転したＯＳＤキャラクタ群（Ｃ），２７０°に回転したＯＳＤキャラクタ群（Ｄ）である。
【図３】本発明の第２実施の形態による画像表示装置のブロック構成図である。
【図４】本発明の第３実施の形態による画像表示装置のブロック構成図である。
【図５】従来の画像表示装置のブロック構成図である。
【符号の説明】
【００２３】
１０１，３０１，４０１，５０１…入力手段
１０２，３０２，４０２，５０２…情報処理手段
１０３，３０３…角度検出手段
１０４…ＯＳＤキャラクタ選択手段
１０５，３０５，４０５，５０５…ＯＳＤキャラクタ格納手段
１０６，３０６，４０６，５０６…ＯＳＤキャラクタ抽出手段
１０７，３０７，４０７，５０７…表示手段
【図１】
2007148423.tif 000003
【図２】
2007148423.tif 000004
【図３】
2007148423.tif 000005
【図４】
2007148423.tif 000006
【図５】
2007148423.tif 000007